(57)【要約】【課題】複数の情報の中から条件に合致する情報を検出することができる情報処理装置を提供することである。【解決手段】情報処理装置は、受信手段と、第１の検出手段と、第２の検出手段とを備える。前記受信手段は、情報記憶媒体に割り当てられた媒体識別情報に基づく処理により得られる、前記媒体識別情報と処理日時情報とを含む処理情報を複数受信する。前記第１の検出手段は、前記複数の処理情報から、指定媒体識別情報を含む指定処理情報を検出する。前記第２の検出手段は、前記指定処理情報に含まれた処理日時情報に基づき、前記複数の処理情報から、条件に合致する１又は複数の条件合致処理情報を検出する。【選択図】図１
2014186365.tif 000002
【特許請求の範囲】
【請求項１】
情報記憶媒体に割り当てられた媒体識別情報に基づく処理により得られる、前記媒体識別情報と処理日時情報とを含む処理情報を複数受信する受信手段と、
前記複数の処理情報から、指定媒体識別情報を含む指定処理情報を検出する第１の検出手段と、
前記指定処理情報に含まれた処理日時情報に基づき、前記複数の処理情報から、条件に合致する１又は複数の条件合致処理情報を検出する第２の検出手段と、
を備える情報処理装置。
【請求項２】
前記第２の検出手段は、前記指定処理情報に含まれた処理日時情報に最も近い処理日時情報を含む条件合致処理情報を検出する請求項１の情報処理装置。
【請求項３】
前記第２の検出手段は、前記指定処理情報に含まれた処理日時情報に最も近い上位ｎ個（ｎ≧２、ｎ：整数）の処理日時情報の何れか１つを含むｎ個の条件合致処理情報を検出する請求項１又は２の情報処理装置。
【請求項４】
前記第２の検出手段は、前記指定処理情報に含まれた処理日時情報より前の処理日時情報を含む１又はｎ個の条件合致処理情報を検出する請求項２又は３の情報処理装置。
【請求項５】
前記処理情報は、前記処理を実行する機器に割り当てられた機器識別情報を含み、前記指定処理情報が、第１の機器に割り当てられた第１の機器識別情報を含む場合、前記第２の検出手段は、前記指定処理情報に含まれた処理日時情報に最も近い処理日時情報と前記第１の機器識別情報とを含む条件合致処理情報を検出する請求項１乃至４の何れか１つの情報処理装置。
【請求項６】
前記第２の検出手段は、前記指定処理情報に含まれた処理日時情報に最も近い上位ｎ個の処理日時情報の何れか１つと前記第１の機器識別情報とを含むｎ個の条件合致処理情報を検出する請求項５の情報処理装置。
【請求項７】
前記第１の機器に割り当てられた前記第１の機器識別情報と第２の機器に対して割り当てられた第２の機器識別情報の夫々に対して同じ設置エリア情報が割り当てられている場合、前記第２の検出手段は、前記第１の機器識別情報を含む処理情報の中で、前記指定処理情報に含まれた処理日時情報に最も近い上位ｎ個の処理日時情報の何れか１つと前記第１の機器識別情報とを含むｎ個の条件合致処理情報を検出し、前記第２の機器識別情報を含む処理情報の中で、前記指定処理情報に含まれた処理日時情報に最も近い上位ｎ個の処理日時情報の何れか１つと前記第２の機器識別情報とを含むｎ個の条件合致処理情報を検出する請求項６の情報処理装置。
【請求項８】
前記第１の検出手段は、前記複数の処理情報から、前記指定媒体識別情報を含む複数の指定処理情報を検出し、
前記第２の検出手段は、前記複数の指定処理情報に含まれた各処理日時情報に最も近い処理日時情報を含む複数の条件合致処理情報を検出する請求項１乃至７の何れか１つの情報処理装置。
【請求項９】
前記第１の検出手段は、前記複数の処理情報から、前記指定媒体識別情報を含む複数の指定処理情報を検出し、
前記第２の検出手段は、前記複数の指定処理情報に含まれた各処理日時情報に最も近い上位ｎ個（ｎ≧２、ｎ：整数）の処理日時情報の何れか１つを含む複数の条件合致処理情報を検出する請求項１乃至７の何れか１つの情報処理装置。
【請求項１０】
前記第２の検出手段は、前記複数の条件合致処理情報に含まれた最も出現頻度の高い媒体識別情報を検出する請求項１乃至９の何れか１つの情報処理装置。
【請求項１１】
情報記憶媒体に割り当てられた媒体識別情報に基づく改札処理を実行する改札機と、
前記改札機からの情報を処理する情報処理装置とを備え、
前記情報処理装置は、
前記情報記憶媒体に割り当てられた前記媒体識別情報に基づく処理により得られる、前記媒体識別情報と処理日時情報とを含む処理情報を複数受信する受信手段と、
前記複数の処理情報から、指定媒体識別情報を含む指定処理情報を検出する第１の検出手段と、
前記指定処理情報に含まれた処理日時情報に基づき、前記複数の処理情報から、条件に合致する１又は複数の条件合致処理情報を検出する第２の検出手段と、
を備える情報処理システム。
【発明の詳細な説明】
【技術分野】
【０００１】
本発明の実施形態は、情報検出装置及び情報検出システムに関する。
【背景技術】
【０００２】
鉄道などの交通機関の駅には改札機などの駅務機器が設置されている。例えば、改札機は、無線ＩＣカード等の情報記憶媒体と通信し、情報記憶媒体に割り当てられた媒体識別情報に基づき改札処理を実行し、媒体識別情報を含む改札処理データを上位機器へ送信する。
【先行技術文献】
【特許文献】
【０００３】
【特許文献１】特許第３８１６４６０号公報
【発明の概要】
【発明が解決しようとする課題】
【０００４】
上位機器は、各改札機からの改札処理データを受信し管理する。例えば、情報記憶媒体の発行時に、媒体情報管理サーバが、情報記憶媒体に割り当てられた媒体識別情報とユーザ情報とを対応付けた媒体管理情報を管理している。
【０００５】
従って、改札処理データと媒体管理情報から、どの媒体（誰に購入された媒体）がどのように利用されているかを調べることができる。
【０００６】
しかしながら、例えば、目の前で、改札機を利用したユーザの所持している情報記憶媒体の媒体識別情報を調べることは難しい。従って、目の前で、改札機を利用したユーザの所持している情報記憶媒体の使用履歴を調べることは難しい。
【０００７】
例えば、特定の人物を追跡中に、その人物が情報記憶媒体を使って改札機を通過した場合（改札処理を受けた場合）、その人物の使った情報記憶媒体の使用履歴を調べたいという要望がある。しかしながら、現在のシステムでは、このような使用履歴を調べることは難しい。
【０００８】
本発明の目的は、複数の情報の中から条件に合致する情報を検出することができる情報処理装置及び情報処理システムを提供することである。
【課題を解決するための手段】
【０００９】
実施形態に係る情報処理装置は、受信手段と、第１の検出手段と、第２の検出手段とを備える。前記受信手段は、情報記憶媒体に割り当てられた媒体識別情報に基づく処理により得られる、前記媒体識別情報と処理日時情報とを含む処理情報を複数受信する。前記第１の検出手段は、前記複数の処理情報から、指定媒体識別情報を含む指定処理情報を検出する。前記第２の検出手段は、前記指定処理情報に含まれた処理日時情報に基づき、前記複数の処理情報から、条件に合致する１又は複数の条件合致処理情報を検出する。
【図面の簡単な説明】
【００１０】
【図１】実施形態に係る情報処理システムの概略構成を示す図である。
【図２】実施形態に係る情報処理システムの概略構成を示す図である。
【図３】本実施形態に係る情報処理システムの処理の一例を示すフローチャートである。
【図４】本実施形態に係る情報処理システムの処理の一例を示すフローチャートである。
【発明を実施するための形態】
【００１１】
以下、実施形態について図面を参照して説明する。
【００１２】
図１及び図２は、実施形態に係る情報処理システムの概略構成を示す図である。図１に示すように、情報処理システムは、自動改札機１００−１、監視盤１０−１、ＩＤｉ情報収集ＤＢ端末２０、中央サーバ３０、特殊ＩＣカード２００、一般ＩＣカード３００等により構成される。
【００１３】
例えば、情報処理システムは、一つの駅に設置される複数の自動改札機１００−１、１００−２、…１００−ｘを備え、さらに、他の各駅に設置される複数の自動改札機を備える。さらに、情報処理システムは、他の各駅に設置される設置される監視盤１０−２、１０−３、…、１０−ｘを備える。
【００１４】
特殊ＩＣカード２００（指定情報記憶媒体）は、例えば、追跡者が使用するカードである。例えば、特殊ＩＣカード２００は、無線カード又は磁気カードであって、情報記憶部、情報処理部、通信部等により構成される。情報記憶部は、ＩＤｉ−２００（カード識別情報）を記憶する。中央サーバ３０は、ＩＤｉ−２００と個人情報（氏名、住所、年齢等）とを対応付けて管理する。
【００１５】
一般ＩＣカード３００は、一般ユーザに広く使用されるカードである。例えば、一般ＩＣカード３００は、無線カード又は磁気カードであって、情報記憶部、情報処理部、通信部等により構成される。情報記憶部は、ＩＤｉ−３００（カード識別情報）を記憶する。中央サーバ３０は、ＩＤｉ−３００とユーザ情報（氏名、住所、年齢等）とを対応付けて管理する。
【００１６】
なお、本実施形態では、特殊ＩＣカード２００がＩＤｉ−２００を記憶し、一般ＩＣカード３００がＩＤｉ−３００を記憶するケースについて説明するが、例えば、特殊ＩＣカード２００がカード番号Ａを記憶し、中央サーバ３０がカード番号ＡとＩＤｉ−２００とを対応付けて記憶し、特殊ＩＣカード２００がカード番号Ｂを記憶し、中央サーバ３０がカード番号ＢとＩＤｉ−３００とを対応付けて記憶してもよい。
【００１７】
自動改札機１００は、ＣＰＵ１０１、メモリ部１０２、人間検知部１０３、通信制御部１０４、ＩＤｉ通信部１０５を備える。例えば、メモリ部１０２は、自動改札機１００に固有の機器識別情報を記憶する。例えば、説明を分かり易くする為、自動改札機１００−１のメモリ部１０２には、機器識別情報１００−１が記憶され、自動改札機１００−２のメモリ部１０２には、機器識別情報１００−２が記憶されるとする。
【００１８】
ＩＤｉ通信部１０５は、ユーザにより翳される特殊ＩＣカード２００又は一般ＩＣカード３００の情報（ＩＤｉ−２００又はＩＤｉ−３００等）を読み取る。ＣＰＵ１０１は、特殊ＩＣカード２００又は一般ＩＣカード３００から読み取った情報に基づき改札処理を実行する。人間検知部１０３は、進入するユーザ、通過中のユーザ、退出するユーザ等を検知する。
【００１９】
通信制御部１０４は、監視盤と通信し、特殊ＩＣカード２００に割り当てられたＩＤｉ−２００に基づく処理により得られる処理情報等を送信する。処理情報は、例えば、ＩＤｉ−２００、機器識別情報１００−１、処理日時情報、及び処理結果情報（入場ＯＫ／出場ＯＫ／入場ＮＧ／出場ＮＧ）などを含む。同様に、通信制御部１０４は、特殊ＩＣカード２００に割り当てられたＩＤｉ−２００に基づく処理により得られる処理情報等を送信する。処理情報は、例えば、ＩＤｉ−３００、機器識別情報１００−１、処理日時情報、及び処理結果情報（入場ＯＫ／出場ＯＫ／入場ＮＧ／出場ＮＧ）などを含む。
【００２０】
監視盤１０は、ＣＰＵ１１、メモリ部１２、表示部１３、入力部１４、通信制御部１５を備える。通信制御部１５は、自動改札機１００から送信される複数の処理情報を受信する。メモリ部１２は、受信した複数の処理情報を記憶する。ＣＰＵ１１は、受信した複数の処理情報を解析し、目的の処理情報を検出する。また、通信制御部１５は、ＩＤｉ情報収集ＤＢ端末２０と通信し、例えば、検出した目的の処理情報等を送信する。
【００２１】
ＩＤｉ情報収集ＤＢ端末２０は、ＣＰＵ２１、メモリ部２２、表示部２３、入力部２４、通信制御部２５を備える。通信制御部２５は、監視盤１０と通信し、検出された目的の処理情報等を受信する。また、通信制御部２５は、中央サーバ３０、他駅に設置される監視盤１０−２、１０−ｘ等と通信し、各種情報を送受信する。例えば、通信制御部２５は、監視盤１０と通信し、ＩＤｉ−２００、ＩＤｉ−３００を含む処理情報を受信し、ＩＤｉ−２００毎にデータを管理する。また、通信制御部２５は、各駅の監視盤１０−ｘと中央サーバ３０に受信したＩＤｉ−３００の情報を問い合わせして、個人情報や経路情報を収集する。ＩＤｉ−２００の利用者から閲覧要求が来た場合は、ＩＤｉ−２００に対応するＩＤｉ−３００の経路情報等の閲覧を許可する。
【００２２】
次に、特殊ＩＣカード２００を利用した追跡処理の一例について説明する。特殊ＩＣカード２００の構成は実質的に一般ＩＣカード３００の構成と同じである。容疑者が一般ＩＣカード３００を所持し、自動改札機１００等を利用している場合に、警察官等が特殊ＩＣカード２００を所持し、自動改札機１００等を利用しながら、容疑者を追跡する。
【００２３】
例えば、容疑者が一般ＩＣカード３００を使って自動改札機１００−１で改札処理を受け、その後、警察官が特殊ＩＣカード２００を使って自動改札機１００−１で改札処理を受けるケースが考えられる。この場合、自動改札機１００−１は、一般ＩＣカード３００に割り当てられたＩＤｉ−３００を読み取り、ＩＤｉ−３００に基づく処理により得られる処理情報を監視盤１０へ送信し、その後、自動改札機１００−１は、特殊ＩＣカード２００に割り当てられたＩＤｉ−２００を読み取り、ＩＤｉ−２００に基づく処理により得られる処理情報を監視盤１０へ送信する。
【００２４】
例えば、一般ＩＣカード３００に基づく処理により得られる処理情報は、ＩＤｉ−３００、機器識別情報１００−１、処理日時情報（2013/3/1/09/00/00）、及び処理結果情報を含む。また、特殊ＩＣカード２００に基づく処理により得られる処理情報は、ＩＤｉ−２００、機器識別情報１００−１、処理日時情報（2013/3/1/09/00/05）、及び処理結果情報を含む。例えば、一般ＩＣカード３００に基づく処理により得られる処理情報の処理日時は、特殊ＩＣカード２００に基づく処理により得られる処理情報の処理日時より、５秒早い。
【００２５】
さらに、他の駅で、容疑者が一般ＩＣカード３００を使って自動改札機で改札処理を受け、その後、警察官が特殊ＩＣカード２００を使って自動改札機で改札処理を受けると、一般ＩＣカード３００に基づく処理により得られる処理情報、及び特殊ＩＣカード２００に基づく処理により得られる処理情報処理情報が、次々に、監視盤１０へ送信される。
【００２６】
例えば、入力部１４を介して、特殊ＩＣカード２００に割り当てられたＩＤｉ−２００を入力する。メモリ部１２は、特殊ＩＣカード２００に割り当てられたＩＤｉ−２００を記憶する。
【００２７】
例えば、ＣＰＵ１１は、受信した複数の処理情報から、ＩＤｉ−２００（指定媒体識別情報）を含む処理情報（以下、指定処理情報）を検出する。ＣＰＵ１１は、指定処理情報に含まれた処理日時情報に基づき、受信した複数の処理情報から、条件に合致する１又は複数の条件合致処理情報を検出する。例えば、ＣＰＵ１１は、指定処理情報に含まれた処理日時情報に最も近い処理日時情報を含む条件合致処理情報を検出する。なお、ＣＰＵ１１は、指定処理情報に含まれた処理日時情報に最も近く、且つ指定処理情報に含まれた処理日時情報より前の処理日時情報を含む条件合致処理情報を検出するようにしてもよい。
【００２８】
或いは、ＣＰＵ１１は、指定処理情報に含まれた処理日時情報に最も近い上位ｎ個（ｎ≧２、ｎ：整数）の処理日時情報の何れか１つを含むｎ個の条件合致処理情報を検出する。例えば、ｎを３に設定すれば、ＣＰＵ１１は、指定処理情報に含まれた処理日時情報に最も近い上位３個の処理日時情報の何れか１つを含む３個の条件合致処理情報を検出することができる。なお、ＣＰＵ１１は、指定処理情報に含まれた処理日時情報に最も近い上位ｎ個で、且つ指定処理情報に含まれた処理日時情報より前の処理日時情報を含むｎ個の条件合致処理情報を検出するようにしてもよい。
【００２９】
或いは、ＣＰＵ１１は、指定処理情報に機器識別情報１００−１が含まれていることを利用し、指定処理情報に含まれた処理日時情報に最も近い処理日時情報と機器識別情報１００−１とを含む条件合致処理情報を検出するようにしてもよい。或いは、ＣＰＵ１１は、指定処理情報に機器識別情報１００−１が含まれていることを利用し、指定処理情報に含まれた処理日時情報に最も近い上位ｎ個の処理日時情報の何れか１つを含み、且つ機器識別情報１００−１を含むｎ個の条件合致処理情報を検出するようにしてもよい。
【００３０】
上記説明したように、容疑者が一般ＩＣカード３００を使って複数の自動改札機１００−１で改札処理を受け、その後、警察官が特殊ＩＣカード２００を使って自動改札機１００−１で改札処理を受けているため、指定処理情報に含まれた処理日時情報に最も近い処理日時情報を含む条件合致処理情報を検出すると、条件合致処理情報は、一般ＩＣカード３００による処理情報である可能性が高い。また、上記したように、ｎ個の条件合致処理情報を検出する場合、ｎ個の条件合致処理情報に、一般ＩＣカード３００による処理情報が含まれている可能性が高い。なお、監視盤１０の入力部１４から、ｎの値を設定することができる。つまり、ＩＤｉ−２００を検出した何人前分の処理情報を検出するかを設定することができる。これにより、警察官と容疑者との距離が離れている場合の追跡も容易となる。
【００３１】
また、容疑者と警察官が複数の駅で、一般ＩＣカード３００と特殊ＩＣカード２００を使うと、多くの条件合致処理情報を検出することができる。ＣＰＵ１１は、これら多くの条件合致処理情報に共通するＩＤｉ（最も出現頻度の高いＩＤｉ）を検索すれば、検索されたＩＤｉが容疑者の所持する一般ＩＣカード３００である可能性が極めて高い。例えば、ＩＤｉ情報収集ＤＢ端末２０のＣＰＵ２１は、監視盤１０のＣＰＵ１１により検索されたＩＤｉの個人情報及び使用履歴（利用経路）を収集することができる。つまり、ＩＤｉ情報収集ＤＢ端末２０の通信制御部２５が、検索されたＩＤｉを中央サーバ３０へ送信し、中央サーバ３０から、検索されたＩＤｉに対応する個人情報を取得することができる。また、通信制御部２５が、検索されたＩＤｉを各駅の監視盤１０−２、１０−３、…、１０−ｘへ送信し、各駅の監視盤１０−２、１０−３、…、１０−ｘから、検索されたＩＤｉを含む処理情報を取得することができる。ＣＰＵ２１は、通信制御部２５が取得した情報を解析し、検索されたＩＤｉに対応する、個人情報、利用経路、利用日時を検出することができる。
【００３２】
また、容疑者と警察官が同じエリア（同じ改札口）に設置された異なる自動改札機１００−１、１００−２を利用するケースも考えられる。例えば、容疑者が一般ＩＣカード３００を使って自動改札機１００−１で改札処理を受け、その前後又は同じタイミングで、警察官が特殊ＩＣカード２００を使って自動改札機１００−２で改札処理を受けるケースが考えられる。この場合、自動改札機１００−１は、一般ＩＣカード３００に割り当てられたＩＤｉ−３００を読み取り、ＩＤｉ−３００に基づく処理により得られる処理情報を監視盤１０へ送信し、自動改札機１００−２は、特殊ＩＣカード２００に割り当てられたＩＤｉ−２００を読み取り、ＩＤｉ−２００に基づく処理により得られる処理情報を監視盤１０へ送信する。
【００３３】
例えば、一般ＩＣカード３００に基づく処理により得られる処理情報は、ＩＤｉ−３００、機器識別情報１００−１、処理日時情報（2013/3/1/09/00/00）、及び処理結果情報を含む。また、特殊ＩＣカード２００に基づく処理により得られる処理情報は、ＩＤｉ−２００、機器識別情報１００−２、処理日時情報（2013/3/1/09/00/05）、及び処理結果情報を含む。例えば、一般ＩＣカード３００に基づく処理により得られる処理情報の処理日時は、特殊ＩＣカード２００に基づく処理により得られる処理情報の処理日時より、５秒早い。なお、容疑者と警察官が異なる自動改札機を使用する場合、一般ＩＣカード３００に基づく処理により得られる処理情報の処理日時が、特殊ＩＣカード２００に基づく処理により得られる処理情報の処理日時より遅くてもよいし、同時でもよい。
【００３４】
さらに、他の駅で、容疑者が一般ＩＣカード３００を使って自動改札機で改札処理を受け、その後、警察官が特殊ＩＣカード２００を使って同じエリアの異なる自動改札機で改札処理を受けると、一般ＩＣカード３００に基づく処理により得られる処理情報、及び特殊ＩＣカード２００に基づく処理により得られる処理情報処理情報が、次々に、監視盤１０へ送信される。
【００３５】
例えば、入力部１４を介して、特殊ＩＣカード２００に割り当てられたＩＤｉ−２００を入力する。メモリ部１２は、特殊ＩＣカード２００に割り当てられたＩＤｉ−２００を記憶する。また、メモリ部１２は、機器識別情報１００−１と１００−２の夫々に対して同じエリアに設置されていることを示す設置情報を記憶しているものとする。
【００３６】
例えば、ＣＰＵ１１は、指定処理情報に機器識別情報１００−１が含まれていることを利用し、指定処理情報に含まれた処理日時情報に最も近い処理日時情報と機器識別情報１００−１とを含む条件合致処理情報と、指定処理情報に含まれた処理日時情報に最も近い処理日時情報と機器識別情報１００−２とを含む条件合致処理情報とを検出する。或いは、ＣＰＵ１１は、指定処理情報に機器識別情報１００−１が含まれていることを利用し、指定処理情報に含まれた処理日時情報に最も近い上位ｎ個の処理日時情報の何れか１つを含み、且つ機器識別情報１００−１を含むｎ個の条件合致処理情報と、指定処理情報に含まれた処理日時情報に最も近い上位ｎ個の処理日時情報の何れか１つを含み、且つ機器識別情報１００−２を含むｎ個の条件合致処理情報を検出するようにしてもよい。
【００３７】
上記説明したように、容疑者が一般ＩＣカード３００を使って自動改札機１００−１で改札処理を受け、その後、警察官が特殊ＩＣカード２００を使って自動改札機１００−１と同じエリアに設置された自動改札機１００−２で改札処理を受けているため、指定処理情報に含まれた処理日時情報に最も近い処理日時情報と機器識別情報１００−１を含む条件合致処理情報と、指定処理情報に含まれた処理日時情報に最も近い処理日時情報と機器識別情報１００−２を含む条件合致処理情報とを検出すると、これら条件合致処理情報は、一般ＩＣカード３００による処理情報である可能性が高い。また、上記したように、ｎ個の条件合致処理情報を検出する場合、ｎ個の条件合致処理情報に、一般ＩＣカード３００による処理情報が含まれている可能性が高い。
【００３８】
例えば、容疑者と警察官が複数の駅の同じエリアで、一般ＩＣカード３００と特殊ＩＣカード２００を使うと、多くの条件合致処理情報を検出することができる。ＣＰＵ１１は、これら多くの条件合致処理情報に共通するＩＤｉ（最も出現頻度の高いＩＤｉ）を検索すれば、検索されたＩＤｉが容疑者の所持する一般ＩＣカード３００である可能性が極めて高い。例えば、ＩＤｉ情報収集ＤＢ端末２０のＣＰＵ２１は、監視盤１０のＣＰＵ１１により検索されたＩＤｉの個人情報及び使用履歴（利用経路）を収集することができる。つまり、ＩＤｉ情報収集ＤＢ端末２０の通信制御部２５が、検索されたＩＤｉを中央サーバ３０へ送信し、中央サーバ３０から、検索されたＩＤｉに対応する個人情報を取得することができる。また、通信制御部２５が、検索されたＩＤｉを各駅の監視盤１０−２、１０−３、…、１０−ｘへ送信し、各駅の監視盤１０−２、１０−３、…、１０−ｘから、検索されたＩＤｉを含む処理情報を取得することができる。ＣＰＵ２１は、通信制御部２５が取得した情報を解析し、検索されたＩＤｉに対応する、個人情報、利用経路、利用日時を検出することができる。
【００３９】
図３、図４のフローチャートを参照し、本実施形態の情報処理システムの実施形態について説明する。
【００４０】
図３に示すように、例えば、監視盤１０は、複数のＩＤｉ情報（複数の処理情報）を取得し(ＳＴ１)、特殊ＩＣカード２００のＩＤｉ−２００であれば（ＳＴ２、ＮＯ）、その前のｎ個のＩＤｉ情報（ｎ個の条件に合致した処理情報）を検出し、ＩＤｉ情報収集ＤＢ端末２０へ送信する（ＳＴ４）。これにより、例えば、特殊ＩＣカード２００で自動改札機１００−１を通過すると、この通過前のｎ人分（例えば３人分）の一般ＩＣカード３００のＩＤｉ情報が検出され、ＩＤｉ情報収集ＤＢ端末２０へ送信される。
【００４１】
また、図４に示すように、ＩＤｉ情報収集ＤＢ端末２０は、監視盤１０により検出されたＩＤｉ情報を取得する（ＳＴ１１）。ＩＤｉ情報収集ＤＢ端末２０は、中央サーバ３０に対して、監視盤１０から取得したＩＤｉ情報に対応する個人情報を問い合わせる（ＳＴ１２）。中央サーバ３０は、ＩＤｉ情報に対応する個人情報を検索して、ＩＤｉ情報収集ＤＢ端末２０へ送信する。これに対応して、ＩＤｉ情報収集ＤＢ端末２０は、ＩＤｉ情報に対応する個人情報を取得する（ＳＴ１３）。
【００４２】
さらに、ＩＤｉ情報収集ＤＢ端末２０は、監視盤１０から取得したＩＤｉ情報の通過情報を、他の駅の監視盤１０−１、１０−２へ問い合わせる（ＳＴ１４）。他の駅の監視盤１０−１、１０−２は、問い合わせに応じて、ＩＤｉ情報の通過情報を送信する。これに対応して、ＩＤｉ情報収集ＤＢ端末２０は、ＩＤｉ情報の通過情報を取得し（ＳＴ１５）、ＩＤｉ情報に対応する個人情報と通過情報をＤＢへ書き込む(ＳＴ１６)。
【００４３】
以下、本実施形態についてまとめる。
【００４４】
（上位概念）
特殊ＩＣカード２００（ＩＤｉ−２００）の利用者は、追跡対象者の一般ＩＣカード３００（ＩＤｉ−３００）の情報を収集することができる。
【００４５】
（中位概念）
複数回、一般ＩＣカード３００（ＩＤｉ−３００）の利用者の後を追跡して自動改札機１００−１、１００−２を通過することで一般ＩＣカード３００（ＩＤｉ−３００）の個人情報及び使用経路（入場・出場・乗り換えなど）を特定することができる。
【００４６】
（下位概念）
特殊ＩＣカード２００（ＩＤｉ−２００）、一般ＩＣカード３００（ＩＤｉ−３００）が通過した自動改札機１００−１とは異なる自動改札機１００−２を通過した場合でも一般ＩＣカード３００（ＩＤｉ−３００）の情報を収集することができる。
【００４７】
上記により、目の前で自動改札機を通過した利用者が所持しているＩＣカードのＩＤｉを特定でき、特定されたＩＤｉの各駅の利用(通過)状況を自動で収集することができる。
【００４８】
なお、本実施形態では、自動改札機により特殊ＩＣカード２００、一般ＩＣカード３００が使用されるケースを想定し、ターゲットとなる一般ＩＣカード３００の使用履歴及び個人情報の割り出しについて説明した。その他に、店舗等に設置されたカードリーダで特殊ＩＣカード２００、一般ＩＣカード３００が使用されるケースを想定することもできる。このようなケースでも、ターゲットとなる一般ＩＣカード３００の使用履歴及び個人情報を割り出すことができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１０…監視盤、２０…ＩＤｉ情報収集ＤＢ端末、３０…中央サーバ、１００…自動改札機、２００…特殊ＩＣカード２００、３００…一般ＩＣカード
【図１】
2014186365.tif 000003
【図２】
2014186365.tif 000004
【図３】
2014186365.tif 000005
【図４】
2014186365.tif 000006